(57)【要約】  本開示は、イメージセンサ及び移動端末を提供する。該イメージセンサは、所定の方式で配列された所定の数のピクセルユニットを含むピクセルアレイを含み、ピクセルユニットは、第１ピクセルと、第２ピクセルとを含み、第１ピクセルは、赤色サブピクセル、緑色サブピクセル及び青色サブピクセルを含み、第２ピクセルは、赤色サブピクセル及び青色サブピクセルのうちの少なくとも１種のサブピクセルと、緑色サブピクセルと、所定のサブピクセルとを含み、第１ピクセル及び第２ピクセルは、いずれもフルピクセルデュアルコアフォーカスピクセルであり、かつ、各々は、４つのフルピクセルデュアルコアフォーカスサブピクセルを含み、所定のサブピクセルは、赤外光波長帯域と、赤色光波長帯域、緑色光波長帯域及び青色光波長帯域のうちの１つとを受光するか、又は赤外光波長帯域、赤色光波長帯域、緑色光波長帯域及び青色光波長帯域を受光する。【選択図】  図２ａ
2021530875.tif 000002
【特許請求の範囲】
【請求項１】
所定の方式で配列された所定の数のピクセルユニットを含むピクセルアレイを含み、前記ピクセルユニットは、第１ピクセルと、前記第１ピクセルに位置的に隣接する第２ピクセルとを含み、前記第１ピクセルは、赤色サブピクセルと、緑色サブピクセルと、青色サブピクセルとを含み、前記第２ピクセルは、赤色サブピクセル及び青色サブピクセルのうちの少なくとも１種のサブピクセルと、緑色サブピクセルと、所定のサブピクセルとを含み、
前記第１ピクセル及び前記第２ピクセルは、いずれもフルピクセルデュアルコアフォーカスピクセルであり、かつ各々は、４つのフルピクセルデュアルコアフォーカスサブピクセルを含み、
前記所定のサブピクセルは、赤外光波長帯域と、赤色光波長帯域、緑色光波長帯域及び青色光波長帯域のうちの１つとを受光するか、又は赤外光波長帯域、赤色光波長帯域、緑色光波長帯域及び青色光波長帯域を受光する、イメージセンサ。
【請求項２】
前記第２ピクセルにおける前記所定のサブピクセルの位置は、前記第１ピクセルにおける前記赤色サブピクセル、前記緑色サブピクセル又は前記青色サブピクセルの位置と同じであり、
又は、
前記第２ピクセルにおける前記所定のサブピクセルの位置は、前記第１ピクセルにおける第１組合せサブピクセルの位置と同じであるか、又は、前記第１ピクセルにおける第２組合せサブピクセルの位置と同じであり、
前記第１組合せサブピクセルは、位置が隣接する１／２の赤色サブピクセルと１／２の緑色サブピクセルとの組合せであり、前記第２組合せサブピクセルは、位置が隣接する１／２の緑色サブピクセルと１／２の青色サブピクセルとの組合せである、請求項１に記載のイメージセンサ。
【請求項３】
前記ピクセルユニットは、１つの前記第２ピクセルと、少なくとも１つの前記第１ピクセルとを含む、請求項２に記載のイメージセンサ。
【請求項４】
前記第２ピクセルにおける１／２の所定のサブピクセルの位置は前記第１ピクセルにおける１／２の赤色サブピクセル、１／２の緑色サブピクセル又は１／２の青色サブピクセルの位置と同じであり、隣接する２つの前記第２ピクセルにおける１／２の所定のサブピクセルが前記所定のサブピクセルを構成する、請求項１に記載のイメージセンサ。
【請求項５】
前記ピクセルユニットにおいて、前記第２ピクセルの数は２つであり、前記第１ピクセルの数はゼロ以上であり、請求項４に記載のイメージセンサ。
【請求項６】
前記所定のサブピクセルは、青色光波長帯域及び赤外光波長帯域を受光し、
前記所定のサブピクセルは、順に積層設置された半導体層と、金属層と、フォトダイオードと、青色フィルタ及び赤外フィルタからなる第１カラーフィルタと、マイクロミラーと、を含む、請求項１に記載のイメージセンサ。
【請求項７】
前記所定のサブピクセルは、緑色光波長帯域及び赤外光波長帯域を受光し、
前記所定のサブピクセルは、順に積層設置された半導体層と、金属層と、フォトダイオードと、緑色フィルタ及び赤外フィルタからなる第２カラーフィルタと、マイクロミラーと、を含む、請求項１に記載のイメージセンサ。
【請求項８】
前記所定のサブピクセルは、赤色光波長帯域及び赤外光波長帯域を受光し、
前記所定のサブピクセルは、順に積層設置された半導体層と、金属層と、フォトダイオードと、赤色フィルタ及び赤外フィルタからなる第３カラーフィルタと、マイクロミラーと、を含む、請求項１に記載のイメージセンサ。
【請求項９】
前記所定のサブピクセルは、赤色光波長帯域、緑色光波長帯域、青色光波長帯域及び赤外光波長帯域を受光し、
前記所定のサブピクセルは、順に積層設置された半導体層と、金属層と、フォトダイオードと、赤色フィルタ、緑色フィルタ、青色フィルタ及び赤外フィルタからなる第４カラーフィルタと、マイクロミラーと、を含む、請求項１に記載のイメージセンサ。
【請求項１０】
前記赤色サブピクセルは、順に積層設置された半導体層、金属層、フォトダイオード、赤色フィルタ及びマイクロミラーを含み、
前記緑色サブピクセルは、順に積層設置された半導体層、金属層、フォトダイオード、緑色フィルタ及びマイクロミラーを含み、
前記青色サブピクセルは、順に積層設置された半導体層、金属層、フォトダイオード、青色フィルタ及びマイクロミラーを含む、請求項１に記載のイメージセンサ。
【請求項１１】
前記イメージセンサは、相補型金属酸化膜半導体ＣＭＯＳイメージセンサ、電荷結合素子ＣＣＤイメージセンサ、又は量子薄膜イメージセンサである、請求項１に記載のイメージセンサ。
【請求項１２】
結像システムを含む移動端末であって、前記結像システムは、
請求項１〜１１のいずれか一項に記載のイメージセンサと、
レンズモジュールと、
前記レンズモジュールを移動させるように駆動する駆動モジュールと、
前記レンズモジュールと前記イメージセンサとの間に設置されたフィルタリングモジュールと、
前記イメージセンサに接続されたイメージデータ処理モジュールと、
前記イメージデータ処理モジュールに接続された表示モジュールと、を含む、移動端末。
【請求項１３】
前記フィルタリングモジュールは、３８０ｎｍ〜１１００ｎｍの光波長を通過させることができる請求項１２に記載の移動端末。
【発明の詳細な説明】
【技術分野】
【０００１】
（関連出願の相互参照）
本願は、２０１８年７月１９日に提出された中国特許出願第２０１８１０７９６８５２．４号の優先権を主張するものであり、その全ての内容は参照により本願に組み込まれるものとする。
本開示は、イメージ処理の技術分野に関し、特に、イメージセンサ及び移動端末に関する。
【背景技術】
【０００２】
関連技術において、インテリジェント電子製品が人々の生活における必需品となってきており、電子製品の重要な構成として撮影機能も徐々に発展してきている。しかし、撮影機能の推進や普及に伴い、人々は、現在のインテリジェント電子製品におけるカメラの撮影機能のみに満足しておらず、より一層、撮影効果の多様化、プレイ方法の多様化、及び機能の多様化が望まれている。
【０００３】
市場では、相補型金属酸化膜半導体（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳ）に基づくイメージセンサのピクセルアレイ配列では、図１ａ及び図１ｂに示すように、赤（Ｒｅｄ、Ｒ）緑（Ｇｒｅｅｎ、Ｇ）青（Ｂｌｕｅ、Ｂ）のベイヤーピクセルアレイ配列パターンが最も一般的に用いられているが、このような配列方式は、物体距離を検出することができず、自然光を受光して、通常の光照射時にイメージを撮影記録するためにしか使用できない。
【０００４】
フルピクセルデュアルコアフォーカス２ＰＤ技術のピクセルアレイ配列パターンは、図１ｃ及び図１ｄに示すように、自然光を受光して、イメージを撮影記録するためにしか使用できないが、位相差検出オートフォーカス（Ｐｈａｓｅ  Ｄｅｔｅｃｔｉｏｎ  Ａｕｔｏ  Ｆｏｃｕｓ、ＰＤＡＦ）の技術手段より、物体距離を検出し、より迅速に合焦動作を完了させることができる。
【０００５】
２ＰＤ位相検出技術の原理は、以下のとおりである。図１ｃ及び図１ｄから明らかなように、ピクセルアレイ内の一部のＲ、Ｇ及びＢのサブピクセルが二分割されており、異なる入射方向から取得される光のエネルギーが異なるため、左側のサブピクセルドットと右側のサブピクセルドットが一対の位相検出対を構成し、左側のサブピクセルドットと右側のサブピクセルドットの輝度値がいずれも相対的に最大ピークに達したとき、この時点でイメージが相対的に最も鮮明になり、これが合焦であり、その後、アルゴリズムにより物体距離を算出して、迅速な合焦を実現する。
【０００６】
以上より、ＣＭＯＳのイメージセンサのピクセルアレイ配列において、物体距離を検出することができず、自然光を受光することしかできず、２ＰＤ技術のピクセルアレイ配列において、物体距離を検出できるが、自然光を受光することしかできないため、関連技術におけるイメージセンサのピクセルアレイ配列パターンには、撮影シーンが制限され、合焦が遅く、ユーザの撮影体験に影響を与えるという問題がある。
【発明の概要】
【発明が解決しようとする課題】
【０００７】
本開示の実施例は、関連技術におけるイメージセンサのピクセルアレイ配列パターンには、撮影シーンが制限され、合焦が遅く、ユーザの撮影体験に影響を与えるという問題があることを解決するために、イメージセンサ及び移動端末を提供する。
【課題を解決するための手段】
【０００８】
第１態様では、本開示の実施例に係るイメージセンサは、
所定の方式で配列された所定の数のピクセルユニットを含むピクセルアレイを含み、ピクセルユニットは、第１ピクセルと、第１ピクセルに位置的に隣接する第２ピクセルとを含み、第１ピクセルは、赤色サブピクセルと、緑色サブピクセルと、青色サブピクセルとを含み、第２ピクセルは、赤色サブピクセル及び青色サブピクセルのうちの少なくとも１種のサブピクセルと、緑色サブピクセルと、所定のサブピクセルとを含み、
第１ピクセル及び第２ピクセルは、いずれもフルピクセルデュアルコアフォーカスピクセルであり、かつ各々は、４つのフルピクセルデュアルコアフォーカスサブピクセルを含み、
所定のサブピクセルは、赤外光波長帯域と、赤色光波長帯域、緑色光波長帯域及び青色光波長帯域のうちの１つとを受光するか、又は赤外光波長帯域、赤色光波長帯域、緑色光波長帯域及び青色光波長帯域を受光する。
【０００９】
第２態様では、本開示の実施例に係る移動端末は、結像システムを含み、結像システムは、
上記イメージセンサと、
レンズモジュールと、
レンズモジュールを移動させるように駆動する駆動モジュールと、
レンズモジュールとイメージセンサとの間に設置されたフィルタリングモジュールと、
イメージセンサに接続されたイメージデータ処理モジュールと、
イメージデータ処理モジュールに接続された表示モジュールと、を含む。
【発明の効果】
【００１０】
本開示の技術手段によれば、２ＰＤイメージセンサのＲＧＢピクセルアレイ配列方式を改善して、ＲＧＢピクセルアレイ配列方式を、ＲＧＢと所定のピクセルドットとの組合せのピクセルアレイ配列方式に改善することにより、２ＰＤの形態で距離検出を実現し、迅速な合焦を保証することができ、異なる光波長帯域を受光する所定のピクセルドットを設置することにより、入光量を増加させ、光電変換効率を向上させ、暗所の撮影効果を保証し、ユーザの使用ニーズを満たすことができる。
【００１１】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得られた他の全ての実施例は、いずれも本開示の保護範囲に属するものである。
【図面の簡単な説明】
【００１２】
【図１ａ】関連技術におけるＲＧＢ配列を示す概略図である。
【図１ｂ】ピクセルドットを示す断面図である。
【図１ｃ】２ＰＤのピクセルアレイ配列を示す図である。
【図１ｄ】２ＰＤピクセルドットを示す断面図である。
【図２ａ】本開示の実施例に係るピクセルユニットを示す概略図その１である。
【図２ｂ】本開示の実施例に係るピクセルユニットを示す概略図その２である。
【図２ｃ】本開示の実施例に係るピクセルユニットを示す概略図その３である。
【図３ａ】本開示の実施例に係るピクセルユニットを示す概略図その４である。
【図３ｂ】本開示の実施例に係るピクセルユニットを示す概略図その５である。
【図４ａ】本開示の実施例に係るピクセルユニットを示す概略図その６である。
【図４ｂ】本開示の実施例に係るピクセルユニットを示す概略図その７である。
【図５ａ】本開示の実施例に係るピクセルユニットを示す概略図その８である。
【図５ｂ】本開示の実施例に係るピクセルユニットを示す概略図その９である。
【図６ａ】本開示の実施例に係るピクセルユニットを示す概略図その１０である。
【図６ｂ】本開示の実施例に係るピクセルユニットを示す概略図その１１である。
【図７】本開示の実施例に係るピクセルを示す切断面である。
【図８】本開示の実施例に係る移動端末を示す概略図である。
【図９】本開示の実施例に係る結像システムを示す概略図である。
【図１０】本開示の実施例に係る移動端末のハードウェアを示す概略構成図である。
【発明を実施するための形態】
【００１３】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得られた他の全ての実施例は、いずれも本開示の保護範囲に属するものである。
【００１４】
本開示の実施例に係るイメージセンサは、図２ａ〜図２ｃ、図３ａ〜図３ｂ及び図４ａ〜図４ｂに示すように、所定の方式で配列された所定の数のピクセルユニットを含むピクセルアレイを含み、ピクセルユニットは、第１ピクセルと、第１ピクセルに位置的に隣接する第２ピクセルとを含み、第１ピクセルは、赤色サブピクセルと、緑色サブピクセルと、青色サブピクセルとを含み、第２ピクセルは、赤色サブピクセル及び青色サブピクセルのうちの少なくとも１種のサブピクセルと、緑色サブピクセルと、所定のサブピクセルとを含み、
第１ピクセル及び第２ピクセルは、いずれもフルピクセルデュアルコアフォーカスピクセルであり、かつ各々は、４つのフルピクセルデュアルコアフォーカスサブピクセルを含み、所定のサブピクセルは、赤外光波長帯域と、赤色光波長帯域、緑色光波長帯域及び青色光波長帯域のうちの１つとを受光するか、又は赤外光波長帯域、赤色光波長帯域、緑色光波長帯域及び青色光波長帯域を受光する。
【００１５】
本開示の実施例に係るイメージセンサに含まれたピクセルアレイは、所定の方式で配列された所定の数のピクセルユニットを含む。所定の数のピクセルユニットは、いずれも第１ピクセルと、第２ピクセルとを含み、第１ピクセルは、第２ピクセルとは異なり、第１ピクセルには、赤色サブピクセル（Ｒ）、緑色サブピクセル（Ｇ）及び青色サブピクセル（Ｂ）が含まれ、第２ピクセルには、赤色サブピクセル及び青色サブピクセルのうちの少なくとも１種が含まれ、さらに、緑色サブピクセル及び所定のサブピクセル素（Ｄ）が含まれる。
【００１６】
なお、本開示の実施例に係る第１ピクセル及び第２ピクセルは、いずれもフルピクセルデュアルコアフォーカス（２ＰＤ）ピクセルであり、２ＰＤピクセルを採用して物体距離を検出し、合焦動作をより迅速に完了させることができ、ここでの第１ピクセル及び第２ピクセルは、いずれも２ＰＤピクセルであり、つまり第１ピクセル及び第２ピクセルにおけるサブピクセルは、いずれも２ＰＤサブピクセルである。かつ、本開示の実施例に係る第１ピクセル及び第２ピクセルの各々は、４つのフルピクセルデュアルコアフォーカスサブピクセルを含む。
【００１７】
なお、第１ピクセルにおける赤色サブピクセル、緑色サブピクセル及び青色サブピクセルは、一定の方式で配列されており、第１ピクセルには、１つの赤色サブピクセル、１つの青色サブピクセル及び２つの緑色サブピクセルが含まれる。ここでは、区別しやすくするために、２つの緑色サブピクセルをそれぞれ第１緑色サブピクセル及び第２緑色サブピクセルと呼び、第１緑色サブピクセルと第２緑色サブピクセルとが同じである。赤色サブピクセルは、第１緑色サブピクセルに隣接し、第２緑色サブピクセルは、赤色サブピクセルの下方に位置し、青色サブピクセルは、第１緑色サブピクセルの下方に位置し、第２緑色サブピクセルは、青色サブピクセルに隣接する。
【００１８】
第２ピクセルは、第１ピクセルを基にサブピクセル置換を行ったものであり、第２ピクセルには、赤色サブピクセル及び青色サブピクセルのうちの少なくとも１種が含まれており、緑色サブピクセル及び所定のサブピクセルがさらに含まれている。即ち、第２ピクセルには、赤色サブピクセル、緑色サブピクセル及び所定のサブピクセルが含まれてもよく、この場合、第１ピクセルにおける青色サブピクセルを所定のサブピクセルに置換し、緑色サブピクセル、青色サブピクセル及び所定のサブピクセルが含まれてもよく、この場合、第１ピクセルにおける赤色サブピクセルを所定のサブピクセルに置換し、緑色サブピクセル、赤色サブピクセル、青色サブピクセル及び所定のサブピクセルが含まれてもよい。
【００１９】
第２ピクセルにおける所定のサブピクセルの位置は、第１ピクセルにおけるあるサブピクセルの位置と同じであってもよく、第１ピクセルにおける位置が隣接する２つの異なる１／２のサブピクセルの位置と同じであってもよい。もちろん、第２ピクセルにおける１／２の所定のサブピクセルの位置は、第１ピクセルにおけるいずれか１つの１／２のサブピクセルの位置と同じであってもよい。この場合、隣接する２つの第２ピクセルにおける１／２の所定のサブピクセルは、所定のサブピクセルを構成する。例えば、第２ピクセルにおける１／２の所定のサブピクセルの位置は、第１ピクセルにおける１／２の赤色サブピクセルの位置と同じであり、また、第２ピクセルにける１／２の所定のサブピクセルの位置は、第１ピクセルにおける１／２の緑色サブピクセルの位置と同じであり、２つの第２ピクセルを組み合わせて完全な所定のサブピクセルを形成することができる。
【００２０】
本開示の実施例における所定のサブピクセルは、赤外光波長帯域と、赤色光波長帯域、緑色光波長帯域及び青色光波長帯域のうちの１つを受光することができ、即ち、所定のサブピクセルは、赤外光波長帯域を受光するとともに、赤色光波長帯域を受光するか、又は、赤外光波長帯域を受光するとともに、緑色光波長帯域を受光するか、又は、赤外光波長帯域を受光するとともに、青色光波長帯域を受光することができる。或いは、所定のサブピクセルは、赤外光波長帯域、赤色光波長帯域、緑色光波長帯域及び青色光波長帯域を受光する。即ち、赤外光波長帯域を受光するとともに、赤色光波長帯域、緑色光波長帯域及び青色光波長帯域を受光することができ、所定のサブピクセルが光波長帯域を受光する具体的な態様は、実際の要求に応じて設定することができる。
【００２１】
本開示によれば、２ＰＤの形態で距離検出を実現し、迅速な合焦を保証することができ、異なる光波長帯域を受光するための所定のピクセルドットを設置することにより、入光量を増加させ、光電変換効率を向上させ、暗所の撮影効果を保証し、ユーザの使用ニーズを満たすことができる。
【００２２】
本開示の実施例において、図２ａ〜図２ｃ、図３ａ〜図３ｂに示すように、第２ピクセルにおける所定のサブピクセルの位置は、第１ピクセルにおける赤色サブピクセル、緑色サブピクセル、又は青色サブピクセルの位置と同じであり、或いは、
第２ピクセルにおける所定のサブピクセルの位置は、第１ピクセルにおける第１組合せサブピクセルの位置と同じであるか、又は第１ピクセルにおける第２組合せサブピクセルの位置と同じであり、
第１組合せサブピクセルは、位置が隣接する１／２の赤色サブピクセルと１／２の緑色サブピクセルとの組合せであり、第２組合せサブピクセルは、位置が隣接する１／２の緑色サブピクセルと１／２の青色サブピクセルとの組合せである。
【００２３】
第２ピクセルにおける所定のサブピクセルの位置が第１ピクセルにおける赤色サブピクセルの位置と同じである場合、第２ピクセルには、１つの青色サブピクセル、２つの緑色サブピクセル及び１つの所定のサブピクセルが含まれており、この場合、第１ピクセルを基に、赤色サブピクセルが所定のサブピクセルに置換される。
【００２４】
第２ピクセルにおける所定のサブピクセルの位置が第１ピクセルにおける青色サブピクセルの位置と同じである場合、第２ピクセルには、１つの赤色サブピクセル、２つの緑色サブピクセル及び１つの所定のサブピクセルが含まれており、この場合、第１ピクセルを基に、青色サブピクセルが所定のサブピクセルに置換される。
【００２５】
第２ピクセルにおける所定のサブピクセルの位置が第１ピクセルにおける１つの緑色サブピクセルの位置と同じである場合、第２ピクセルには、１つの赤色サブピクセル、１つの緑色サブピクセル、１つの青色サブピクセル及び１つの所定のサブピクセルが含まれており、この場合、第１ピクセルを基に、そのうちの１つの緑色サブピクセルが所定のサブピクセルに置換される。
【００２６】
第２ピクセルにおける所定のサブピクセルの位置が第１ピクセルにおける第１組合せサブピクセルの位置と同じである場合、第２ピクセルには、赤色サブピクセル、緑色サブピクセル、青色サブピクセル及び所定のサブピクセルが含まれており、この場合、第１ピクセルを基に２ＰＤサブピクセルにおける位置に隣接する１／２の赤色サブピクセル及び１／２の緑色サブピクセルを所定のサブピクセルとすることができ、即ち、第２ピクセルにおける所定のサブピクセルの位置は、第１ピクセルにおける位置が隣接する１／２の緑色サブピクセル及び１／２の赤色サブピクセルの位置と同じである。
【００２７】
第２ピクセルにおける所定のサブピクセルの位置が第１ピクセルにおける第２組合せサブピクセルの位置と同じである場合、第２ピクセルには、赤色サブピクセル、緑色サブピクセル、青色サブピクセル及び所定のサブピクセルが含まれており、この場合、第１ピクセルを基に２ＰＤサブピクセルにおける位置が隣接する１／２の青色サブピクセル及び１／２の緑色サブピクセルを所定のサブピクセルとすることができ、即ち、第２ピクセルにおける所定のサブピクセルの位置は、第１ピクセルにおける位置が隣接する１／２の緑色サブピクセル及び１／２の青色サブピクセルの位置と同じである。
【００２８】
上記実施例を基に、ピクセルユニットには、１つの第２ピクセルと、少なくとも１つの第１ピクセルとが含まれている。
【００２９】
ピクセルユニットには、１つの第２ピクセルと、少なくとも１つの第１ピクセルとが含まれており、ピクセルユニットのピクセル数は少なくとも２つである。ピクセルユニットのピクセル数が２つである場合、１つの第１ピクセルと、１つの第２ピクセルとが含まれている。例えば、図５ａに示すように、ピクセルユニットには、１つの第１ピクセルと、１つの第２ピクセルとが含まれており、第２ピクセルには、赤色サブピクセル、緑色サブピクセル、及び所定のサブピクセルが含まれている場合、ピクセルユニットにおける所定のサブピクセルの割合は、１／８である。
【００３０】
ピクセルユニットのピクセル数が３つである場合、２つの第１ピクセルと、１つの第２ピクセルとが含まれている。例えば、図５ｂに示すように、ピクセルユニットには、２つの第１ピクセルと、１つの第２ピクセルとが含まれており、第２ピクセルには、青色サブピクセル、緑色サブピクセル、及び所定のサブピクセルが含まれている場合、ピクセルユニットにおける所定のサブピクセルの割合は、１／１２である。
【００３１】
ピクセルユニットのピクセル数が４つである場合、３つの第１ピクセルと、１つの第２ピクセルとが含まれている。例えば、図３ａに示すように、ピクセルユニットには、３つの第１ピクセルと、１つの第２ピクセルとが含まれており、第２ピクセルには、青色サブピクセル、緑色サブピクセル、赤色サブピクセル、及び所定のサブピクセルが含まれており、第１ピクセルを基に２ＰＤサブピクセルの１／２の赤色サブピクセル及び１／２の緑色サブピクセルを所定のサブピクセルとすることができ、ピクセルユニットにおける所定のサブピクセルの割合は、１／１６である。
【００３２】
ピクセルアレイは、１／８密度のＲＧＢ＋Ｄピクセルユニット、１／１２密度のＲＧＢ＋Ｄピクセルユニット、又は１／１６密度のＲＧＢ＋Ｄピクセルユニットを１つのピクセルユニットアレイとして、周期的に配列して構成されてもよい。もちろん、ピクセルアレイは、他の形態であってもよく、ここでは列挙を省略する。
【００３３】
上記対応するいくつかの所定のサブピクセルの選点方式は、例を挙げて説明するためだけであり、他の選点方式であってもよく、本開示の実施例に係る他の選点方式は、ここで一つずつ説明しない。ピクセルユニットにおける所定のサブピクセルの選点位置（第２ピクセルの位置）は、本開示の実施例に限定されない。ピクセルユニットにおける所定のサブピクセルの割合は１／４ｎであり、ｎは２以上の整数であり、所定のサブピクセルに適用されるピクセルアレイの大きさは問わない。
【００３４】
図４ａ及び図４ｂに示すように、前記第２ピクセルにおける１／２の所定のサブピクセルの位置は、第１ピクセルにおける１／２の赤色サブピクセル、１／２の緑色サブピクセル又は１／２の青色サブピクセルの位置と同じであり、隣接する２つの第２ピクセル内の１／２の所定のサブピクセルが所定のサブピクセルを構成する。
【００３５】
第２ピクセルには、１／２の所定のサブピクセルのみが含まれていてもよく、２つの隣接する第２ピクセルの組合せにより、１つの完全な所定のサブピクセルを得ることができる。第２ピクセルには、１／２の所定のサブピクセルが含まれる場合、第２ピクセルにおける１／２の所定のサブピクセルの位置は、第１ピクセルにおける１／２の赤色サブピクセルの位置と同じであってもよく、第１ピクセルにおける１／２の緑色サブピクセルの位置と同じであってもよく、第１ピクセルにおける１／２の青色サブピクセルの位置と同じであってもよい。
【００３６】
１つの第２ピクセルにおける１／２の所定のサブピクセルの位置が第１ピクセルにおける１／２の赤色サブピクセルの位置と同じである場合、別の第２ピクセルにおける１／２の所定のサブピクセルの位置は、第１ピクセルにおける１／２の緑色サブピクセルの位置と同じである。１つの第２ピクセルにおける１／２の所定のサブピクセルの位置が第１ピクセルにおける１／２の緑色サブピクセルの位置と同じである場合、別の第２のピクセルにおける１／２の所定のサブピクセルの位置は、第１ピクセルにおける１／２の青色サブピクセル又は１／２の赤色サブピクセルの位置と同じである。
【００３７】
上記実施例を基に、ピクセルユニットには、第２ピクセルの数は２つであり、第１ピクセルの数はゼロ以上である。
【００３８】
ピクセルユニットのピクセル数が少なくとも２つであると、ピクセルユニットには、２つの第２ピクセルと、数がゼロ以上の第１ピクセルとが含まれる。ピクセルユニットのピクセル数が２つである場合、２つの第２ピクセルが含まれる。例えば、図６ａに示すように、ピクセルユニットには、２つの第２ピクセルが含まれており、１つの第２ピクセルには、１つの赤色サブピクセル、２つの緑色サブピクセル、１／２の青色サブピクセル及び１／２の所定のサブピクセルが含まれており、この場合、第２ピクセルにおける１／２の所定のサブピクセルの位置は、第１ピクセルにおける１／２の青色サブピクセルの位置と同じであり、別の第２ピクセルには、１つの赤色サブピクセル、１つの緑色サブピクセル、１つの青色サブピクセル、１／２の緑色サブピクセル及び１／２の所定のサブピクセルが含まれており、１／２の所定のサブピクセルの位置は、第１ピクセルにおける１／２の緑色サブピクセルの位置と同じである。ピクセルユニットにおける所定のサブピクセルの割合は、１／８である。
【００３９】
ピクセルユニットのピクセル数が３つである場合、２つの第２ピクセルと、１つの第１ピクセルとが含まれている。図６ｂに示すように、ピクセルユニットには２つの第２ピクセルと、１つの第１ピクセルとが含まれる場合、１つの第２ピクセルには、１つの赤色サブピクセル、１つの緑色サブピクセル、１つの青色サブピクセル、１／２の緑色サブピクセル、及び１／２の所定のサブピクセルが含まれており、この場合、第２ピクセルにおける１／２の所定のサブピクセルの位置は、第１ピクセルにおける１／２の緑色サブピクセルの位置と同じであってよく、別の第２ピクセルには、２つの緑色サブピクセル、１つの青色サブピクセル、１／２の赤色サブピクセル及び１／２の所定のサブピクセルが含まれており、この場合、１／２の所定のサブピクセルの位置は、第１ピクセルにおける１／２の赤色サブピクセルの位置と同じである。ピクセルユニットにおける所定のサブピクセルの割合は、１／１２である。
【００４０】
ピクセルユニットのピクセル数が４つである場合、２つの第２ピクセルと、２つの第１ピクセルとが含まれている。例えば、図４ｂに示すように、ピクセルユニットに２つの第２ピクセルと、２つの第１ピクセルとが含まれる場合、１つの第２ピクセルには、１つの赤色サブピクセル、１つの緑色サブピクセル、１つの青色サブピクセル、１／２の緑色サブピクセル、及び１／２の所定のサブピクセルが含まれており、この場合、１つの第２ピクセルにおける１／２の所定のサブピクセルの位置は、第１ピクセルにおける１／２の緑色サブピクセルの位置と同じであり、別の第２ピクセルには、１つの青色サブピクセル、２つの緑色サブピクセル、１／２の赤色サブピクセル、及び１／２の所定のサブピクセルが含まれており、この場合、１／２の所定のサブピクセルの位置は、第１ピクセルにおける１／２の赤色サブピクセルの位置と同じである。ピクセルユニットにおける所定のサブピクセルの割合は、１／１６である。
【００４１】
以上は、いくつかの対応する実施形態のみであり、これに加えて変形することも可能であり、ここでは一々述べない。ピクセルユニットにおける所定のサブピクセルの選点密度は１／４ｎであり、ｎは２以上の整数であり、所定のサブピクセルに適用されるピクセルアレイの大きさは問わない。
【００４２】
本開示の実施例において、所定のサブピクセルは、青色光波長帯域及び赤外光波長帯域を受光する。所定のサブピクセルは、順に積層設置された半導体層と、金属層と、フォトダイオードと、青色フィルタ及び赤外フィルタからなる第１カラーフィルタと、マイクロミラーと、を含む。
【００４３】
所定のサブピクセルに含まれた半導体層、金属層、フォトダイオード、第１カラーフィルタ及びマイクロミラーは、下から順次配列されており、ここでの半導体層はシリコン基板であってよいが、これに限定されない。第１カラーフィルタは、フィルタユニットアレイであり、青色フィルタ及び赤外フィルタを含む。この場合、所定のサブピクセルは、青色光波長帯域及び赤外光波長帯域を受光することができる。
【００４４】
本開示の実施例において、所定のサブピクセルは、緑色光波長帯域及び赤外光波長帯域を受光する。所定のサブピクセルは、順に積層設置された半導体層と、金属層と、フォトダイオードと、緑色フィルタ及び赤外フィルタからなる第２カラーフィルタと、マイクロミラーと、を含む。
【００４５】
第２カラーフィルタは、フィルタユニットアレイであり、緑色フィルタ及び赤外フィルタを含む。この場合、所定のサブピクセルは、緑色光波長帯域及び赤外光波長帯域を受光することができる。
【００４６】
本開示の実施例において、所定のサブピクセルは、赤色光波長帯域及び赤外光波長帯域を受光する。所定のサブピクセルは、順に積層設置された半導体層と、金属層と、フォトダイオードと、赤色フィルタ及び赤外フィルタからなる第３カラーフィルタと、マイクロミラーと、を含む。
【００４７】
第３カラーフィルタは、フィルタユニットアレイであり、赤色フィルタ及び赤外フィルタを含む。この場合、所定のサブピクセルは、赤色光波長帯域及び赤外光波長帯域を受光することができる。
【００４８】
本開示の実施例において、所定のサブピクセルは、赤色光波長帯域、緑色光波長帯域、青色光波長帯域及び赤外光波長帯域を受光する。所定のサブピクセルは、順に積層設置された半導体層と、金属層と、フォトダイオードと、赤色フィルタ、緑色フィルタ、青色フィルタ及び赤外フィルタからなる第４カラーフィルタと、マイクロミラーと、を含む。
【００４９】
第４カラーフィルタは、フィルタユニットアレイであり、赤色フィルタ、緑色フィルタ、青色フィルタ及び赤外フィルタを含む。この場合、所定のサブピクセルは、赤色光波長帯域、緑色光波長帯域、青色光波長帯域及び赤外光波長帯域を受光することができる。
【００５０】
同じ光照射の場合、単一チャネルで通過可能な波長帯域幅が広いほど、イメージセンサが取得できる輝度が多くなるため、暗所の結像効果を向上させることができる。
【００５１】
本開示の実施例において、赤色サブピクセルは、順に積層設置された半導体層、金属層、フォトダイオード、赤色フィルタ及びマイクロミラーを含み、緑色サブピクセルは、順に積層設置された半導体層、金属層、フォトダイオード、緑色フィルタ及びマイクロミラーを含み、青色サブピクセルは、順に積層設置された半導体層、金属層、フォトダイオード、青色フィルタ及びマイクロミラーを含む。
【００５２】
赤色サブピクセルに含まれる半導体層、金属層、フォトダイオード、赤色フィルタ及びマイクロミラーは、下から順次配列されている。対応する緑色サブピクセルに含まれる半導体層、金属層、フォトダイオード、緑色フィルタ及びマイクロミラーは、下から順次配列されている。青色サブピクセルに含まれる半導体層、金属層、フォトダイオード、青色フィルタ及びマイクロミラーは、下から順次配列されている。ここでの半導体層は、シリコン基板であってもよいが、これに限定されない。赤色サブピクセル、所定のサブピクセルの構造について、図７を参照する。図７のＤフィルタは、第１カラーフィルタ、第２カラーフィルタ、第３カラーフィルタ及び第４カラーフィルタであってもよく、赤色フィルタを緑色フィルタ又は青色フィルタに置換すれば、緑色サブピクセル又は青色サブピクセルの構造を取得することができる。
【００５３】
赤色サブピクセル、緑色サブピクセル及び青色サブピクセルは、合成画像のピクセルの色情報を取得し、赤外線の入射を遮断するものであり、例えば、波長３８０〜７００ｎｍの可視光のみを入射させることにより、高照度下でフルカラーのリアルな画像を直接生成することができる。赤外波長は７５０〜１１００ｎｍであり、所定のサブピクセルは、赤外帯域を受光し、さらに暗所の結像効果を向上させ、赤外測距機能を実現することができる。
本開示の実施例において、イメージセンサは、相補型金属酸化膜半導体ＣＭＯＳイメージセンサ、電荷結合素子ＣＣＤイメージセンサ、又は量子薄膜イメージセンサである。
【００５４】
本開示に係るピクセルアレイ配列方式は、適用されるイメージセンサのタイプが限定されず、ＣＭＯＳによるイメージセンサであってもよく、電荷結合素子（Ｃｈａｒｇｅ−ｃｏｕｐｌｅｄ  Ｄｅｖｉｃｅ、ＣＣＤ）によるイメージセンサであってもよく、量子薄膜によるイメージセンサであってもよく、他のタイプのイメージセンサであってもよい。かつ、本開示の実施例に係るイメージセンサは、カメラモジュールを含む任意の電子製品に適用することができる。
【００５５】
このように、２ＰＤイメージセンサのＲＧＢピクセルアレイ配列方式を改善して、ＲＧＢピクセルアレイ配列方式をＲＧＢと所定のピクセルドットとの組合せのピクセルアレイ配列方式に改善することにより、２ＰＤの形態で距離検出を実現し、迅速な合焦を保証することができ、異なる光波長帯域を受光するための所定のピクセルドットを設置することで、入光量を増加させ、光電変換効率を向上させ、暗所の撮影効果を保証し、ユーザの使用ニーズを満たすことができる。
【００５６】
本開示の実施例は、移動端末をさらに提供する。移動端末１は、図８及び図９に示すように、結像システム２を含み、結像システム２は、上記イメージセンサ２１を含む。移動端末１は、さらに、レンズモジュール２２と、レンズモジュール２２を移動させるように駆動する駆動モジュール２３と、レンズモジュール２２とイメージセンサ２１との間に設置されたフィルタリングモジュール２４と、イメージセンサ２１に接続されたイメージデータ処理モジュール２５と、イメージデータ処理モジュール２５に接続された表示モジュール２６とを含む。
【００５７】
本開示の実施例に係る移動端末１は、結像システム２を含み、結像システム２は、上記イメージセンサ２１を含み、さらに、光線を集光するレンズモジュール２２をさらに含み、レンズモジュール２２は、駆動モジュール２３に接続され、駆動モジュール２３は、撮影対象の遠近に合わせて、レンズモジュール２２の位置を調整する。
【００５８】
レンズモジュール２２とイメージセンサ２１との間には、フィルタモジュール２４が設置され、光線がレンズモジュール２２によって集光され、フィルタリングモジュール２４を通過した後、イメージセンサ２１のピクセルアレイに集光される。イメージセンサ２１は、イメージデータ処理モジュール２５に接続され、イメージデータ処理モジュール２５は、表示モジュール２６に接続される。イメージセンサ２１のピクセルアレイ上に光線が集光された後、イメージセンサ２１は、光電変換を行った後、イメージデータ処理モジュール２５にデータを転送し、イメージデータ処理モジュール２５は、データを処理して表示モジュール２６に画像として表示する。
【００５９】
駆動モジュール２３がレンズモジュール２２の位置を調整した後、イメージセンサ２１における２ＰＤのピクセルを用いて位相差を取得することにより、物体と結像面との距離を取得し、迅速な合焦を実現することができる。
【００６０】
本発明の実施例に係るフィルタリングモジュール２４は、３８０ｎｍ〜１１００ｎｍの光波長を通過させることができる。このとき、光線がレンズモジュール２２によって集光された後、フィルタリングモジュール２４によってフィルタリングされ、フィルタリングモジュール２４は、自然光と赤外光を通過させ、結像システム２の結像効果を保証することができる。
【００６１】
このように、２ＰＤイメージセンサのＲＧＢピクセルアレイ配列方式を改善して、ＲＧＢピクセルアレイ配列方式をＲＧＢと所定のピクセルドットとの組合せのピクセルアレイ配列方式に改善することにより、２ＰＤの形態で距離検出を実現し、迅速な合焦を保証することができ、異なる光波長帯域を受光するための所定のピクセルドットを設置することで、入光量を増加させ、光電変換効率を向上させ、暗所の撮影効果を保証し、ユーザの使用ニーズを満たすことができる。
【００６２】
図１０は、本開示の各実施例を実現する移動端末のハードウェア概略構成図であり、該移動端末１０００は、無線周波数ユニット１００１、ネットワークモジュール１００２、オーディオ出力ユニット１００３、入力ユニット１００４、センサ１００５、表示ユニット１００６、ユーザ入力ユニット１００７、インタフェースユニット１００８、メモリ１００９、プロセッサ１０１０、及び電源１０１１などの部品を含むが、これらに限定されない。
【００６３】
移動端末１０００は、結像システムをさらに含み、結像システムは、イメージセンサと、レンズモジュールと、レンズモジュールを移動させるように駆動する駆動モジュールと、レンズモジュールとイメージセンサとの間に設置されたフィルタリングモジュールと、イメージセンサに接続されたイメージデータ処理モジュールと、イメージデータ処理モジュールに接続された表示モジュールと、を含む。
【００６４】
フィルタリングモジュールは、３８０ｎｍ〜１１００ｎｍの光波長を通過させることができる。
【００６５】
イメージセンサは、所定の方式で配列された所定の数のピクセルユニットを含むピクセルアレイを含み、ピクセルユニットは、第１ピクセルと、第１ピクセルに位置的に隣接する第２ピクセルとを含み、第１ピクセルは、赤色サブピクセルと、緑色サブピクセルと、青色サブピクセルとを含み、第２ピクセルは、赤色サブピクセル及び青色サブピクセルのうちの少なくとも１種のサブピクセルと、緑色サブピクセルと、所定のサブピクセルとを含み、
第１ピクセル及び第２ピクセルは、いずれもフルピクセルデュアルコアフォーカスピクセルであり、かつ各々は、４つのフルピクセルデュアルコアフォーカスサブピクセルを含み、
所定のサブピクセルは、赤外光波長帯域と、赤色光波長帯域、緑色光波長帯域及び青色光波長帯域のうちの１つとを受光するか、又は赤外光波長帯域、赤色光波長帯域、緑色光波長帯域及び青色光波長帯域を受光する。
【００６６】
第２ピクセルにおける所定のサブピクセルの位置は、第１ピクセルにおける赤色サブピクセル、緑色サブピクセル又は青色サブピクセルの位置と同じであり、或いは、
第２ピクセルにおける所定のサブピクセルの位置は、第１ピクセルにおける第１組合せサブピクセルの位置と同じであるか、又は第１ピクセルにおける第２組合せサブピクセルの位置と同じであり、
第１組合せサブピクセルは、位置が隣接する１／２の赤色サブピクセルと１／２の緑色サブピクセルとの組合せであり、第２組合せサブピクセルは、位置が隣接する１／２の緑色サブピクセルと１／２の青色サブピクセルとの組合せである。
【００６７】
ピクセルユニットには、１つの第２ピクセルと、少なくとも１つの第１ピクセルとが含まれる。
【００６８】
第２ピクセルにおける１／２の所定のサブピクセルの位置は、第１ピクセルにおける１／２の赤色サブピクセル、１／２の緑色サブピクセル又は１／２の青色サブピクセルの位置と同じであり、隣接する２つの第２ピクセル内の１／２の所定のサブピクセルが所定のサブピクセルを構成する。
【００６９】
ピクセルユニットにおいて、第２ピクセルの数は２つであり、第１ピクセルの数はゼロ以上である。
【００７０】
所定のサブピクセルは、青色光波長帯域及び赤外光波長帯域を受光し、
所定のサブピクセルは、順に積層設置された半導体層と、金属層と、フォトダイオードと、青色フィルタ及び赤外フィルタからなる第１カラーフィルタと、マイクロミラーと、を含む。
【００７１】
所定のサブピクセルは、緑色光波長帯域及び赤外光波長帯域を受光し、
所定のサブピクセルは、順に積層設置された半導体層と、金属層と、フォトダイオードと、緑色フィルタ及び赤外フィルタからなる第２カラーフィルタと、マイクロミラーと、を含む。
【００７２】
所定のサブピクセルは、赤色光波長帯域及び赤外光波長帯域を受光し、
所定のサブピクセルは、順に積層設置された半導体層と、金属層と、フォトダイオードと、赤色フィルタ及び赤外フィルタからなる第３カラーフィルタと、マイクロミラーと、を含む。
【００７３】
所定のサブピクセルは、赤色光波長帯域、緑色光波長帯域、青色光波長帯域及び赤外光波長帯域を受光し、
所定のサブピクセルは、順に積層設置された半導体層と、金属層と、フォトダイオードと、赤色フィルタ、緑色フィルタ、青色フィルタ及び赤外フィルタからなる第４カラーフィルタと、マイクロミラーと、を含む。
【００７４】
赤色サブピクセルは、順に積層設置された半導体層、金属層、フォトダイオード、赤色フィルタ及びマイクロミラーを含み、緑色サブピクセルは、順に積層設置された半導体層、金属層、フォトダイオード、緑色フィルタ及びマイクロミラーを含み、青色サブピクセルは、順に積層設置された半導体層、金属層、フォトダイオード、青色フィルタ及びマイクロミラーを含む。
【００７５】
イメージセンサは、相補型金属酸化物半導体ＣＭＯＳイメージセンサ、電荷結合素子ＣＣＤイメージセンサ、又は量子薄膜イメージセンサである。
【００７６】
上記移動端末は、２ＰＤイメージセンサのＲＧＢピクセルアレイ配列方式を改善して、ＲＧＢピクセルアレイ配列方式をＲＧＢと所定のピクセルドットとの組合せのピクセルアレイ配列方式に改善することにより、２ＰＤの形態で距離検出を実現し、迅速な合焦を保証することができ、異なる光波長帯域を受光するための所定のピクセルドットを設置することで、入光量を増加させ、光電変換効率を向上させ、暗所の撮影効果を保証し、ユーザの使用ニーズを満たすことができる。
【００７７】
当業者が理解できるように、図１０に示す移動端末の構造は、端末を限定するものではなく、移動端末は、図示よりも多い又は少ない部品を含んでよく、ある部品を組み合わせたり、異なる部品を配置したりしてもよい。本発明の実施例において、移動端末は、携帯電話、タブレットコンピュータ、ノートパソコン、パームトップコンピュータ、車載端末、ウェアラブル装置、歩数計などを含むが、これらに限定されない。
【００７８】
本開示の実施例において、無線周波数ユニット１００１は、情報の送受信中又は通話中の信号の送受信に用いられてよく、具体的には、基地局からのダウンリンクデータを受信した後、プロセッサ１０１０に処理させ、また、アップリンクデータを基地局に送信することを理解されたい。一般的には、無線周波数ユニット１００１は、アンテナ、少なくとも１つの増幅器、トランシーバ、カプラ、低雑音増幅器、デュプレクサなどを含むが、これらに限定されない。また、無線周波数ユニット１００１は、無線通信システムにより、ネットワーク及び他の装置と通信してもよい。
【００７９】
移動端末は、ネットワークモジュール１００２によりユーザに無線のブロードバンドインターネットアクセスを提供して、例えば、ユーザの電子メールの送受信、ウェブページの閲覧及びストリーミングメディアへのアクセスなどを助ける。
【００８０】
オーディオ出力ユニット１００３は、無線周波数ユニット１００１又はネットワークモジュール１００２によって受信されるか又はメモリ１００９に記憶されたオーディオデータをオーディオ信号に変換して音声として出力することができる。また、オーディオ出力ユニット１００３は、移動端末１０００によって実行される特定の機能に関するオーディオ出力（呼出音、メッセージ着信音など）をさらに提供することができる。オーディオ出力ユニット１００３は、スピーカ、ブザー、及び受話器などを含む。
【００８１】
入力ユニット１００４は、オーディオ又はビデオ信号を入力する。入力ユニット１００４は、グラフィック処理ユニット（Ｇｒａｐｈｉｃｓ  Ｐｒｏｃｅｓｓｉｎｇ  Ｕｎｉｔ、ＧＰＵ）１００４１及びマイクロフォン１００４２を含んでよく、グラフィック処理ユニット１００４１は、動画撮影モード又は撮影モードで撮影装置（例えば、カメラ）により取得された静止画像又はビデオのイメージデータを処理する。処理後のイメージフレームは、表示ユニット１００６に表示することができ、ここでの表示ユニットは上記表示モジュールである。グラフィック処理ユニット１００４１によって処理されたイメージフレームは、メモリ１００９（又は他の記憶媒体）に記憶されてもよく、無線周波数ユニット１００１又はネットワークモジュール１００２により送信されてもよい。グラフィック処理ユニット１００４１は上記イメージデータ処理モジュールである。マイクロフォン１００４２は、音声を受信して、かつこのような音声をオーディオデータに処理することができる。処理後のオーディオデータは、電話通話モードの場合、無線周波数ユニット１００１により移動通信基地局に送信可能なフォーマット出力に変換されて出力することができる。
【００８２】
移動端末１０００は、光センサ、動きセンサ及び他のセンサなどの少なくとも１種のセンサ１００５をさらに含む。具体的には、光センサは、環境光の明るさに応じて表示パネル１００６１の輝度を調節することができる環境光センサと、移動端末１０００が耳元に移動したときに表示パネル１００６１及び／又はバックライトをオフにすることができる近接センサとを含む。動きセンサの１種として、加速センサは、各方向（一般的には３軸）の加速度の大きさを検出でき、静止時に重力の大きさや方向を検出でき、端末姿勢（例えば、横／縦画面の切り替え、相関ゲーム、磁力計の姿勢較正）の識別、振動識別に関連する機能（例えば歩数計、タッピング）等に用いられてよく、センサ１００５は、さらに指紋センサ、圧力センサ、虹彩センサ、分子センサ、ジャイロスコープ、気圧計、湿度計、温度計、赤外線センサなどを含んでもよく、ここでは説明を省略する。
【００８３】
表示ユニット１００６は、ユーザによって入力された情報や又はユーザに提供された情報を表示する。表示ユニット１００６は、表示パネル１００６１を含んでよく、液晶ディスプレィ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル１００６１を配置することができる。
【００８４】
ユーザ入力ユニット１００７は、入力された数字又は文字情報を入力したり、移動端末のユーザ設定及び機能制御に関するキー信号の入力を生成したりすることができる。具体的には、ユーザ入力ユニット１００７は、タッチパネル１００７１及び他の入力装置１００７２を含む。タッチパネル１００７１は、タッチスクリーンとも呼ばれ、その上又はその近くでのユーザのタッチ操作（例えば、指、スタイラスペンなどの任意の適切な物体又は付属品を用いるタッチパネル１００７１上又はタッチパネル１００７１の近くでのユーザの操作）を収集することができる。タッチパネル１００７１は、タッチ検出装置及びタッチコントローラの２つの部分を含んでもよい。タッチ検出装置は、ユーザのタッチ方向を検出し、タッチ操作による信号を検出し、タッチコントローラに信号を伝送し、タッチコントローラは、タッチ検出装置からタッチ情報を受信し、タッチポイント座標に変換して、プロセッサ１０１０に送信し、プロセッサ１０１０から送信された命令を受信して実行する。また、抵抗式、容量式、赤外線式及び表面弾性波式などの複数の種類でタッチパネル１００７１を実現することができる。タッチパネル１００７１に加えて、ユーザ入力ユニット１００７は、他の入力装置１００７２をさらに含んでもよい。具体的には、他の入力装置１００７２は、物理キーボード、機能キー（例えば、ボリューム調節キースイッチキーなど）、トラックボール、マウス、操作レバーを含むが、これらに限定されず、ここでは説明を省略する。
【００８５】
さらに、タッチパネル１００７１は、表示パネル１００６１をカバーすることができ、タッチパネル１００７１がその上又は近くでのタッチ操作を検出すると、プロセッサ１０１０に伝送してタッチイベントの種類を決定し、その後、プロセッサ１０１０は、タッチイベントの種類に応じて、表示パネル１００６１に対応する視覚的出力を提供する。図１０では、タッチパネル１００７１と表示パネル１００６１は、２つの独立した部品として移動端末の入出力機能を実現しているが、いくつかの実施形態では、タッチパネル１００７１と表示パネル１００６１とを一体化して移動端末の入出力機能を実現してもよく、ここでは具体的に限定しない。
【００８６】
インタフェースユニット１００８は、外部装置と移動端末１０００を接続するインタフェースである。例えば、外部装置は、有線又は無線ヘッドホンポート、外部電源（又は電池充電器）ポート、有線又は無線データポート、メモリカードポート、識別モジュールを有する装置との接続用ポート、オーディオ入出力（Ｉ／Ｏ）ポート、ビデオＩ／Ｏポート、イヤホンポートなどを含んでよい。インタフェースユニット１００８は、外部装置からの入力（例えば、データ情報、電力など）を受信するとともに、受信した入力を移動端末１０００内の１つ又は複数の素子に伝送したり、移動端末１０００と外部装置との間でデータを伝送したりすることができる。
【００８７】
メモリ１００９は、ソフトウェアプログラム及び様々なデータを記憶することができる。メモリ１００９は、主に、オペレーティングシステム、少なくとも１つの機能（例えば、音声再生機能、イメージ再生機能など）に必要なアプリケーションプログラムなどを記憶するプログラム記憶領域と、携帯電話の使用に応じて作成されたデータ（例えば、オーディオデータ、電話帳など）などを記憶できるデータ記憶領域と、を含んでよい。また、メモリ１００９は、高速ランダムアクセスメモリを含んでもよく、少なくとも１つの磁気ディスクメモリ素子、フラッシュメモリ素子などの不揮発性メモリ又は他の揮発性固体メモリ素子を含んでよい。
【００８８】
プロセッサ１０１０は、移動端末の制御センターであり、様々なインタフェース及び回線により移動端末全体の各部に接続され、メモリ１００９に記憶されたソフトウェアプログラム及び／又はモジュールを動作させるか又は実行し、メモリ１００９に記憶されたデータを呼び出して、移動端末の様々な機能を実行しデータを処理することにより、移動端末全体をモニタリングする。プロセッサ１０１０は、１つ又は複数の処理ユニットを含んでよく、好ましくは、プロセッサ１０１０は、主にオペレーションシステム、ユーザインタフェース及びアプリケーションプログラムなどを処理するアプリケーションプロセッサと、主に無線通信を処理するモデムプロセッサとを集積してもよい。上記モデムプロセッサは、プロセッサ１０１０に集積されていなくてもよいことを理解されたい。
【００８９】
移動端末１０００は、各部品に給電する電源１０１１（例えば、電池）を含んでもよく、好ましくは、電源１０１１は、電源管理システムによりプロセッサ１０１０と論理的に接続されて、電源管理システムにより充電、放電及び消費電力の管理などの機能を実現することができる。
【００９０】
また、移動端末１０００は、いくつかの未図示の機能モジュールを含むが、ここでは説明を省略する。
【００９１】
なお、本明細書において、用語「含む」、「備える」又はそれらの任意の変形は、非排他的に含むことをカバーするものであることにより、一連の要素を含むプロセス、方法、物品又は装置は、それらの要素を含むだけでなく、明確に例示されていない他の要素をさらに含むか、又はこれらのプロセス、方法、物品又は装置固有の要素をさらに含む。より多くの限定がない場合、語句「１つの・・・を含む」により限定された要素は、該要素を含むプロセス、方法、物品又は装置に、別の同一の要素が存在することを排除するものではない。
【００９２】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分がソフトウェア製品の形態で具現化されてよく、該コンピュータソフトウェア製品は、記憶媒体（例えば、読み出し専用メモリ（Ｒｅａｄ−Ｏｎｌｙ  Ｍｅｍｏｒｙ、ＲＯＭ）／ランダムアクセスメモリ（Ｒａｎｄｏｍ  Ａｃｃｅｓｓ  Ｍｅｍｏｒｙ、ＲＡＭ）、磁気ディスク、光ディスク）に記憶され、一台の端末（携帯電話、コンピュータ、サーバ、エアコン又はネットワーク装置などであってもよい）に本開示の各実施例に記載の方法を実行させる幾つかの命令を含むことができる。
【００９３】
以上、図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲を逸脱せずにさらに多くの形態を達成することができるが、これらはいずれも本開示の保護範囲内に属する。
【図１ａ】
2021530875.tif 000003
【図１ｂ】
2021530875.tif 000004
【図１ｃ】
2021530875.tif 000005
【図１ｄ】
2021530875.tif 000006
【図２ａ】
2021530875.tif 000007
【図２ｂ】
2021530875.tif 000008
【図２ｃ】
2021530875.tif 000009
【図３ａ】
2021530875.tif 000010
【図３ｂ】
2021530875.tif 000011
【図４ａ】
2021530875.tif 000012
【図４ｂ】
2021530875.tif 000013
【図５ａ】
2021530875.tif 000014
【図５ｂ】
2021530875.tif 000015
【図６ａ】
2021530875.tif 000016
【図６ｂ】
2021530875.tif 000017
【図７】
2021530875.tif 000018
【図８】
2021530875.tif 000019
【図９】
2021530875.tif 000020
【図１０】
2021530875.tif 000021
【国際調査報告】
2021530875.tif 000022
2021530875.tif 000023
2021530875.tif 000024
2021530875.tif 000025